(57)【要約】      （修正有）【課題】浴槽の水平方向だけでなく上方への動きも確実に拘束し、かつ浴槽のレベル出しを容易に行うことができる浴槽設置構造の提供。【解決手段】ボルト１４及びスペーサ１８を取り付けた後、浴槽１０を引っくり返して上向きとする。防水パン２０の凹部２１に接着剤３０を流し込んだ後、浴槽１０を防水パン２０上に載置し、この際、ボルト１４を開口２３ａ，２２ａを通して凹部２１内に挿入し、ボルト１４の下部を接着剤３０に埋設する。スペーサ１８の外周縁が全周にわたってタイル２３の開口２３ａの縁部に重なる。タイル２３及び下地板２２の開口２３ａ，２２ａの縁部が凹部２１の上側に張り出している。【選択図】図６
2006305110.tif 000002
【特許請求の範囲】
【請求項１】
底部から下方に突出したボルトを有する浴槽が防水パン上に設置されており、
該防水パンに凹部が設けられ、該凹部内に前記ボルトの下部が挿入され、接着剤によって固定されている浴槽設置構造において、
該凹部内の該接着剤の上側に側方から張り出す張出部が該防水パンに設けられていることを特徴とする浴槽設置構造。
【請求項２】
底部から下方に突出したボルトを有した浴槽が防水パン上に設置され、該ボルトが接着剤で該防水パンに固定されている浴槽設置構造であって、
該浴槽の底部にｎ個（ｎは４以上）の脚部が設けられ、前記ボルトは該脚部に取り付けられている浴槽設置構造において、
該防水パンは、ＦＲＰ製の防水パン本体と、該防水パン本体に張り付けられたタイルとを有し、
該防水パン本体に凹部が設けられ、
該凹部内に前記接着剤が充填され、
該接着剤内に前記ボルトの下端が埋設されており、該ボルトの下端は該凹部の底面から離隔しており、
すべて又は（ｎ−１）個の前記脚部がスペーサを介して該タイルに載置されていることを特徴とする浴槽設置構造。
【請求項３】
請求項２において、前記防水パンは排水勾配を有しており、
浴槽のフランジが水平となるように、各脚部のスペーサの厚みが設定されていることを特徴とする浴槽設置構造。
【請求項４】
請求項２又は３において、前記スペーサが前記凹部を覆っていることを特徴とする浴槽設置構造。
【請求項５】
請求項４において、該スペーサの少なくとも下面がゴム又は軟質樹脂よりなることを特徴とする浴槽設置構造。
【請求項６】
請求項２ないし５のいずれか１項において、前記タイルの辺縁が該凹部の上側に張り出していることを特徴とする浴槽設置構造。
【発明の詳細な説明】
【技術分野】
【０００１】
本発明は、防水パン上に浴槽を設置した構造に係り、特に浴槽底部から突設されたボルトを接着剤で防水パンに固定した浴槽設置構造に関する。
【背景技術】
【０００２】
防水パン上に浴槽を設置した構造において、防水パンに凹部を設け、この凹部内に浴槽の脚部を配置することが実開昭５０−２７６３９号に記載されている。この構造にあっては、浴槽は水平ズレしないものの、上方へは動き得るものとなっている。
【０００３】
実公平５−４０７９５号には、洗い場付き浴槽を建築体の根太等の木製角材の上に固定するに際し、該木製角材の上面に容器状部材をビス留めし、この容器状部材内に洗い場付き浴槽の足ボルトを載置し、接着剤で固定することが記載されている。
【０００４】
この浴槽設置構造において、接着剤と容器状部材との接合力が不足すると、やはり浴槽の上方への動きを拘束できないことになる。また、浴槽のレベル調整は、浴槽を載設後、足ボルトを回して行うことになるが、浴槽の下側へ作業者が工具を差し込んでボルトを回す作業は、疲労が大きく、作業効率も悪い。
【０００５】
特開平１１−２７６３６９号には、防水パンに孔をあけ、深さの異なる凹部を有した脚部載置部材を該孔にビス留めすることが記載されている。この脚部載置部材として、凹部深さが適切なものを採用することにより、浴槽の高さ調整を行うことができる。しかしながら、この場合、浴槽に孔を設けるため、防水特性が劣ることが懸念される。
【特許文献１】実開昭５０−２７６３９号
【特許文献２】実公平５−４０７９５号
【特許文献３】特開平１１−２７６３６９号
【発明の開示】
【発明が解決しようとする課題】
【０００６】
第１発明の目的は、浴槽の水平方向だけでなく上方への動きも確実に拘束される浴槽設置構造を提供することにある。
【０００７】
第２発明の目的は、浴槽のレベル出しを容易に行うことができる浴槽設置構造を提供することにある。
【課題を解決するための手段】
【０００８】
請求項１の浴槽設置構造は、底部から下方に突出したボルトを有する浴槽が防水パン上に設置されており、該防水パンに凹部が設けられ、該凹部内に前記ボルトの下部が挿入され、接着剤によって固定されている浴槽設置構造において、該凹部内の該接着剤の上側に側方から張り出す張出部が該防水パンに設けられていることを特徴とするものである。
【０００９】
請求項２の浴槽設置構造は、底部から下方に突出したボルトを有した浴槽が防水パン上に設置され、該ボルトが接着剤で該防水パンに固定されている浴槽設置構造であって、該浴槽の底部にｎ個（ｎは４以上）の脚部が設けられ、前記ボルトは該脚部に取り付けられている浴槽設置構造において、該防水パンは、ＦＲＰ製の防水パン本体と、該防水パン本体に張り付けられたタイルとを有し、該防水パン本体に凹部が設けられ、該凹部内に前記接着剤が充填され、該接着剤内に前記ボルトの下端が埋設されており、該ボルトの下端は該凹部の底面から離隔しており、すべて又は（ｎ−１）個の前記脚部がスペーサを介して該タイルに載置されていることを特徴とするものである。
【００１０】
請求項３の浴槽設置構造は、請求項２において、前記防水パンは排水勾配を有しており、浴槽のフランジが水平となるように、各脚部のスペーサの厚みが設定されていることを特徴とするものである。
【００１１】
請求項４の浴槽設置構造は、請求項２又は３において、前記スペーサが前記凹部を覆っていることを特徴とするものである。
【００１２】
請求項５の浴槽設置構造は、請求項４において、該スペーサの少なくとも下面がゴム又は軟質樹脂よりなることを特徴とするものである。
【００１３】
請求項６の浴槽設置構造は、請求項２ないし５のいずれか１項において、前記タイルの辺縁が該凹部の上側に張り出していることを特徴とするものである。
【発明の効果】
【００１４】
第１発明（請求項１）の浴槽設置構造にあっては、凹部内の接着剤の上側に側方から張り出すように張出部が設けられており、接着剤の上方への動きが拘束され、この結果、浴槽の上方への動きが拘束される。
【００１５】
第２発明（請求項２）の浴槽設置構造にあっては、浴槽の脚部がスペーサを介して防水パンのタイルに載設されている。浴槽及び防水パン本体は、ＦＲＰ製であり、寸法精度は良好である。また、タイルも規格大量生産品であり、厚みは高精度に一定である。従って、スペーサの厚さを選定することにより、浴槽の設置高さを調節することができる。
【００１６】
なお、防水パンには排水勾配が設けられているから、請求項３の通り、各スペーサとしてこの排水勾配を相殺して浴槽フランジを水平とする厚みのものを用いることにより、浴槽フランジの水平出しを容易に行うことができる。
【００１７】
請求項４の通り、このスペーサによって凹部を覆うことにより、水が接着剤に掛かることが防止され、耐久性が向上する。
【００１８】
請求項５の通り、スペーサの少なくとも下面をゴム又は軟質樹脂とすることにより、シール効果が奏され、接着剤に水が掛かることが確実に防止され、耐久性がさらに向上する。また、スペーサにゴム又は軟質樹脂を採用することにより、防振効果も得られる。
【００１９】
請求項６の通り、タイルの辺縁を凹部の上側に張り出させることにより、接着剤の上方への動きを拘束し、浴槽の上方への動きも拘束される。
【発明を実施するための最良の形態】
【００２０】
以下、図面を参照して実施の形態について説明する。第１図は実施の形態に用いられる浴槽を裏返しにした状態の斜視図、第２図は第１図のII−II線断面図、第３図は防水パンの平面図、第４図は第３図のIV−IV線断面図、第５図は浴槽設置施工途中の浴槽脚部付近の断面図、第６図は浴槽設置施工完了後の浴槽脚部付近の断面図である。
【００２１】
第１，２図に示す通り、浴槽１０は洋風舟形浴槽であり、槽体１１と、該槽体１１の上縁から外方に張り出しており、槽体１１を周回しているフランジ部１２と、槽体１１の底面から下方に突設された４個の脚部１３とを有する。この脚部１３は、略直方体形状の箱状であり、その側面には、ナット締め作業用の作業口１３ａが設けられている。脚部１３の底面にはボルト１４の挿通孔１３ｂ（第２図）が設けられている。
【００２２】
浴槽１０を裏返しにした状態でボルト１４を該挿通孔１３ｂに挿通させ、ボルト１４の突出長さが所定となるようにナット１５，１６によって該挿通孔１３ｂの縁部を上下から締め付け、ボルト１４を脚部１３に固定する。なお、このナット１５，１６の締め付け作業は、浴槽１０を裏返しにしているので、極めて容易である。
【００２３】
ボルト１４を固定した後、板状の孔１８ａを有したスペーサ１８を脚部１３の底面に粘着剤や接着剤で付着させる。
【００２４】
この実施の形態では、スペーサ１８は硬質ゴム製である。なお、スペーサ１８の片面に剥離紙で覆われた粘着剤層を設けておき、この剥離紙を剥してスペーサ１８を脚部１３の底面に付着させるようにしてもよい。
【００２５】
このようにボルト１４及びスペーサ１８を取り付けた後、浴槽１０を引っくり返して上向きとし、防水パン２０上に設置する。
【００２６】
第３図の通り、この実施の形態では、浴槽側防水パン２０に対し洗い場側防水パン２５が連結されることにより、浴室用防水パンが構成されている。浴槽側防水パン２０には排水トラップ２７が設けられ、洗い場側防水パン２５には排水トラップ２６が設けられている。これらの排水トラップ２７，２６は、防水パン２０，２５同士の継目側かつ浴槽１０の排水口側（足側）に配置されている。防水パン２０の少なくとも浴槽設置領域に排水勾配が設けられている。この実施の形態では、防水パン２０，２５は、排水トラップ２７，２６に向って下り勾配となるように排水勾配が付けられている。
【００２７】
浴槽側防水パン２０のＦＲＰ製の防水パン本体２０Ａの底面には、４個の脚部１３に対応して４個の凹部２１が設けられている。この防水パン本体２０Ａ上の少なくとも浴槽設置領域にはタイル張り付け用下地板２２が張り付けられ、この下地板２２上にタイル２３が張り付けられている。この下地板２２及びタイル２３には、凹部２１と重なる位置に開口２２ａ，２３ａが穿孔されている。各開口２２ａ，２３ａは、凹部２１の上面開口よりも開口面積が小さく、各開口２２ａ，２３ａの縁部は凹部２１の上側へ張り出す張出部を構成している。
【００２８】
第５図の通り、この凹部２１内に接着剤３０を流し込む。この際、後でボルト１４を差し込んでも接着剤３０が開口２３ａから溢れ出ないように接着剤３０を若干少な目に注入するのが好ましい。
【００２９】
その後、前記の通りボルト１４及びスペーサ１８を取り付けておいた浴槽１０を防水パン２０上に載置し、この際、ボルト１４を開口２３ａ，２２ａを通して凹部２１内に挿入し、ボルト１４の下部を接着剤３０に埋設する。ボルト１４の下端面は、凹部２１の底面から若干離隔している。
【００３０】
この実施の形態では、スペーサ１８の外周縁が全周にわたってタイル２３の開口２３ａの縁部に重なる。また、このスペーサ１８の内孔１８ａはナット１５よりも極く僅か大きいだけとなっている。このため、スペーサ１８が接着剤３０の上面を覆う。
【００３１】
接着剤３０が硬化すると、浴槽１０が防水パン２０に固定された浴槽設置構造が得られる。
【００３２】
この浴槽設置構造では、タイル２３及び下地板２２の開口２３ａ，２２ａの縁部が凹部２１の上側に張り出しているため、接着剤３０の硬化体は上方に抜けることがない。このため、浴槽１０は水平方向のみならず、上下方向にも強固に固定されることになる。
【００３３】
また、この実施の形態では、脚部１３はスペーサ１８を介してタイル２３に載設されている。従って、４個又は最も水上側の１個を除いた３個の脚部１３にそれぞれ適切な厚さのスペーサ１８を装着することにより、浴槽フランジ部１２の上面を高精度にて水平とすることができる。
【００３４】
即ち、防水パン２０の上面は、第３図の排水トラップ２７に向って下り勾配となるように排水勾配が付けられており、該排水トラップ２７に近いほど下位レベルに位置することになる。
【００３５】
従って、排水トラップ２７に近く配置される脚部１３ほど、それに装着されるスペーサ１８の厚みを大きくし、各凹部２１のタイル開口２３ａの縁部に重なった各スペーサ１８の上面が互いに同レベルとなるようにスペーサ１８の厚みを選定することにより、浴槽１０のフランジ部１１が水平となる。
【００３６】
ＦＲＰ製の浴槽１０及び防水パン本体２０Ａは、いずれも寸法精度が高いので、スペーサ１８の厚さを上記排水勾配及び脚部位置から計算される設計値通りとしておくことにより、フランジ部１１が水平となる。
【００３７】
なお、水下側の３個の脚部にのみスペーサ１８を装着する場合、最も排水勾配の上流側（水上側）に配置される脚部１３は、スペーサ１８を介することなく直にタイル２３上に載置される。
【００３８】
この実施の形態では、スペーサ１８がゴム製であり、且つ接着剤３０を覆っているため、水が接着剤３０に掛かることがなく、接着剤３０の水による劣化が防止される。また、スペーサ１８はゴム製であるから、防振効果も奏される。
【００３９】
図示の実施の形態は本発明の一例であり本発明は図示以外の形態をもとりうる。例えば、スペーサ１８がゴムではなく軟質樹脂製とされてもよい。また、スペーサのタイルと接する面だけゴム又は軟質樹脂製とされてもよい。
【図面の簡単な説明】
【００４０】
【図１】実施の形態に用いられる浴槽を裏返しにした状態の斜視図である。
【図２】第１図のII−II線断面図である。
【図３】防水パンの平面図である。
【図４】第３図のIV−IV線断面図である。
【図５】浴槽設置施工途中の防水パンの凹部付近の断面図である。
【図６】浴槽設置施工完了後の浴槽脚部付近の断面図である。
【符号の説明】
【００４１】
１０  浴槽
１１  槽体
１２  フランジ部
１３  脚部
１４  ボルト
２０，２５  防水パン
２０Ａ  防水パン本体
２１  凹部
２３  タイル
２６，２７  排水トラップ
３０  接着剤
【図１】
2006305110.tif 000003
【図２】
2006305110.tif 000004
【図３】
2006305110.tif 000005
【図４】
2006305110.tif 000006
【図５】
2006305110.tif 000007
【図６】
2006305110.tif 000008